【手続補正書】
【提出日】平成28年8月19日(2016.8.19)
【手続補正１】
【補正対象書類名】明細書
【補正対象項目名】０１９９
【補正方法】変更
【補正の内容】
【０１９９】
本開示の様々な特徴及び態様が以下の特許請求の範囲において記載される。
本開示は以下も包含する。
［１］  医療用物品を固定するための医療用物品固定システムであって、
前記医療用物品の少なくとも一部分を保持するように構成されているブラケットであって、
縦軸及び第１主面を有する基部と、
前記基部に連結され、前記基部の第１主面と概ね平行に延在するアームであって、前記医療用物品の少なくとも一部分を受容するように寸法決めされたチャンネルを前記アームの下に画定するために前記基部の第１主面から離間して配置されており、前記アームが片持ち状になるように固定端及び自由端を含んでおり、かつ前記医療用物品が前記ブラケットに連結されているとき少なくとも前記基部の第１主面に概ね垂直な方向における前記医療用物品の移動を抑制するように構成されているアームと、を備えているブラケットと、
フラップと、を備えており、
前記フラップは、
固定端と、
前記フラップが前記ブラケットの上に配置されない第１の位置と、前記フラップの少なくとも一部分が前記ブラケットの上に配置されることによって前記ブラケットに対する前記医療用物品の移動を更に抑制する第２の位置と、の間で前記ブラケットに対して移動可能な自由端と、を含んでおり、前記フラップの固定端は、前記ブラケットに連結されている、システム。
［２］  前記アームは、前記基部に対して固定されている、上記態様１に記載のシステム。
［３］  前記アームは、前記基部と一体的に形成されている、上記態様１又は２に記載のシステム。
［４］  前記ブラケットは、前記フラップに対して剛性を有し、前記フラップは、前記ブラケットに対して可撓性を有する、上記態様１〜３のうちのいずれかに記載のシステム。
［５］  前記フラップは、少なくとも前記フラップの自由端が前記第２の位置にあるときに前記基部の縦軸に対してゼロ以外かつ非直角の角度に方向付けられる、上記態様１〜４のうちのいずれかに記載のシステム。
［６］  前記アームは、前記基部の縦軸と概ね平行に延在する、上記態様１〜５のうちのいずれかに記載のシステム。
［７］  前記アームは、前記基部の縦軸に対して概ね横方向に延在する、上記態様１〜５のうちのいずれかに記載のシステム。
［８］  前記フラップは、前記ブラケットの基部の縦軸に対して実質的に横方向に方向付けられる、上記態様１〜７のうちのいずれかに記載のシステム。
［９］  前記フラップは、少なくとも前記フラップの自由端が前記第２の位置に在るときに前記基部の縦軸に対して概ね垂直に方向付けられる、上記態様１〜８のうちのいずれかに記載のシステム。
［１０］  前記アーム及び前記フラップは、前記基部に概ね垂直な方向における前記医療用物品の移動を一緒に抑制する、上記態様１〜９のうちのいずれかに記載のシステム。
［１１］  前記アームは、固定端と自由端とを有しており、前記アームは、固定端を前記基部の第１の側面に固定端を有しており、前記フラップは、前記アームと前記フラップが互いに対向するように、前記第１の側面の反対側の第２の側面に固定端を有している、上記態様１〜１０のうちのいずれかに記載のシステム。
［１２］  前記ブラケットは、前記基部に連結されるとともに前記基部から上方へ前記基部の第１主面に対して概ね垂直な方向に延在するポストを更に備えており、前記ポストは、前記医療用物品が前記医療用物品固定システムに連結されているときに前記医療用物品の少なくとも縦方向の移動を抑制するように配置されている、上記態様１〜１１のうちのいずれかに記載のシステム。
［１３］  前記フラップは、前記フラップが前記第２の位置に在るときに前記フラップが前記ポストと前記アームとの間に配置されるように構成されている、上記態様１２に記載のシステム。
［１４］  前記フラップは、前記フラップの自由端が前記第２の位置に在るときに前記ブラケットと重畳する関係で配置される、上記態様１〜１３のうちのいずれかに記載のシステム。
［１５］  第１の面と、前記第１の面の反対側の第２の面と、を有する基部被覆材を更に備えており、前記第２の面は、皮膚接触用接着剤を備えており、前記ブラケット及び前記フラップは、前記基部被覆材の前記第１の面に連結されており、前記フラップの固定端は、前記基部被覆材と前記ブラケットとの間に連結されている、上記態様１〜１４のうちのいずれかに記載のシステム。
【手続補正２】
【補正対象書類名】特許請求の範囲
【補正対象項目名】全文
【補正方法】変更
【補正の内容】
【特許請求の範囲】
【請求項１】
医療用物品を固定するための医療用物品固定システムであって、
前記医療用物品の少なくとも一部分を保持するように構成されているブラケットと、
フラップと、を備えており、
前記ブラケットは、
縦軸、及び前記医療用物品の少なくとも一部分を受容するように構成されている第１主面を有する基部と、
前記基部の第１主面から片持ち状で離間して配置されてチャンネルをアームの下に画定するように前記基部と一体的に形成され前記基部の第１主面と概ね平行に延在するアームであって、前記チャンネルは前記医療用物品の少なくとも一部分を受容するように寸法決めされており、前記アームは前記医療用物品が前記ブラケットに連結されているとき少なくとも前記基部の第１主面に概ね垂直な方向における前記医療用物品の移動を抑制するように構成されており、前記アームは前記医療用物品が前記ブラケットに連結されているとき前記医療用物品の少なくとも一部分が前記アームと前記基部との間に画定されたチャンネルの中に移動するように構成されている、アームと、
前記基部に連結され、前記基部の第１主面に概ね垂直な方向に前記基部から上方に延在するポストであって、前記ポストは前記医療用物品が前記医療用物品固定システムに連結されているとき前記医療用物品の少なくとも縦方向の移動を抑制するように配置され、前記アームは前記アームの固定端から前記アームの自由端まで及ぶ横幅Ｗを画定し、前記ポストは前記基部上の前記アームの横幅Ｗ内に位置する、ポストと、
を備えており、
前記フラップは、
固定端と、
前記フラップが前記ブラケットの上に配置されない第１の位置と、前記フラップの少なくとも一部分が前記ブラケットの上に配置されることによって前記ブラケットに対する前記医療用物品の移動を更に抑制する第２の位置と、の間で前記ブラケットに対して移動可能な自由端と、
を含んでおり、
前記フラップの固定端は、前記ブラケットに連結されており、
前記ブラケットの前記基部及び前記アームは前記フラップに対して剛性を有し、前記フラップは前記ブラケットの前記基部及び前記アームに対して可撓性を有する、システム。
【請求項２】
医療用物品を固定するための医療用物品固定システムであって、
前記医療用物品の少なくとも一部分を保持するように構成されているブラケットと、
フラップと、
基部被覆材とを備えており、
前記ブラケットは、
縦軸及び第１主面を有する基部と、
前記基部の第１主面から片持ち状で離間して配置されてチャンネルをアームの下に画定するように前記基部に連結され前記基部の第１主面と概ね平行に延在するアームであって、前記チャンネルは前記医療用物品の少なくとも一部分を受容するように寸法決めされており、前記アームは前記医療用物品が前記ブラケットに連結されているとき少なくとも前記基部の第１主面に概ね垂直な方向における前記医療用物品の移動を抑制するように構成されている、アームと、
を備えており、
前記フラップは、
固定端と、
前記フラップが前記ブラケットの上に配置されない第１の位置と、前記フラップの少なくとも一部分が前記ブラケットの上に配置されることによって前記ブラケットに対する前記医療用物品の移動を更に抑制する第２の位置と、の間で前記ブラケットに対して移動可能な自由端と、
を含んでおり、
前記フラップの固定端は、前記ブラケットに連結されており、
前記ブラケットは前記フラップに対して剛性を有し、前記フラップは前記ブラケットに対して可撓性を有し、
前記基部被覆材は、第１の面と、前記第１の面の反対側の第２の面とを有し、前記第２の面は皮膚接触用接着剤を含み、前記ブラケットは前記基部被覆材の第１の面に連結されており、前記基部被覆材の少なくとも一部分は前記フラップの少なくとも一部分を形成している、システム。
【請求項３】
医療用物品を固定するための医療用物品固定システムであって、
前記医療用物品の少なくとも一部分を保持するように構成されているブラケットと、
フラップと、
を備えており、
前記ブラケットは、
縦軸、及び前記医療用物品の少なくとも一部分を受容するように構成されている第１主面を有する基部と、
前記基部の第１主面から片持ち状で離間して配置されてチャンネルをアームの下に画定するように前記基部に連結され前記基部の第１主面と概ね平行に延在するアームであって、前記チャンネルは前記医療用物品の少なくとも一部分を受容するように寸法決めされており、前記アームは前記医療用物品が前記ブラケットに連結されているとき少なくとも前記基部の第１主面に概ね垂直な方向における前記医療用物品の移動を抑制するように構成されており、前記アームは前記医療用物品が前記ブラケットに連結されたとき前記医療用物品の少なくとも一部分が前記アームと前記基部との間に画定されたチャンネルの中に移動するように剛性を有し、前記アームの縦軸は前記基部の縦軸に概ね平行に延在している、アームと、
を備えており、
前記フラップは、
固定端と、
前記フラップが前記ブラケットの上に配置されない第１の位置と、前記フラップの少なくとも一部分が前記ブラケットの上に配置されることによって前記ブラケットに対する前記医療用物品の移動を更に抑制する第２の位置と、の間で前記ブラケットに対して移動可能な自由端と、
を含んでおり、
前記フラップの固定端は、前記ブラケットに連結されており、
前記ブラケットの前記基部及び前記アームは前記フラップに対して剛性を有し、前記フラップは前記ブラケットの前記基部及び前記アームに対して可撓性を有する、システム。